【手続補正書】
【提出日】平成24年2月8日(2012.2.8)
【手続補正１】
【補正対象書類名】明細書
【補正対象項目名】００４２
【補正方法】変更
【補正の内容】
【００４２】
請求項１４記載の固体撮像素子用撮影レンズは、前記第１レンズの有効径に関して、下記条件式（１５）を満足することを特徴とする撮像レンズであること。
０．３０＜ＣＡ１／ｆ＜０．５０            （１５）
ただし、
ＣＡ１：開口絞りの直径
ｆ：撮像レンズ全系の合成焦点距離
【手続補正２】
【補正対象書類名】明細書
【補正対象項目名】００４９
【補正方法】変更
【補正の内容】
【００４９】
ただし、上記非球面式及び各実施例に使用する記号は下記の通りである。
Ａｉ：ｉ次の非球面係数
ｒ：曲率半径
Ｋ：円錐定数
ｆ：撮像レンズ全系の焦点距離
Ｆ：Ｆナンバー
ｄ：軸上面間隔
ｎｄ：レンズ材料のｄ線に対する屈折率
ν：レンズ材料のアッベ数
また、以降（表のレンズデータを含む）において、１０のべき乗数（例えば、４．５×１０−０４）をＥ（例えば、４．５Ｅ−０４）を用いて表し、レンズデータの面番号は、第１レンズＬ１の物体側を１面とし順に付与した。
【手続補正３】
【補正対象書類名】明細書
【補正対象項目名】００７２
【補正方法】変更
【補正の内容】
【００７２】
条件式（１５）は、レンズの明るさ、Ｆｎｏを規定するものである。
０．３０＜ＣＡ１／ｆ＜０．５０      条件式（１５）
ただし、
ＣＡ１：開口絞りの直径
ｆ  ：撮像レンズ全系の合成焦点距離
【手続補正４】
【補正対象書類名】明細書
【補正対象項目名】００７５
【補正方法】変更
【補正の内容】
【００７５】
【表７】
2010237407.tif 000001
【手続補正５】
【補正対象書類名】明細書
【補正対象項目名】００７７
【補正方法】変更
【補正の内容】
【００７７】
また、第１レンズＬ１と第２レンズＬ２の焦点距離範囲を全系の焦点距離に対して規定する条件式（３），（４）に関し、条件式（３）の下限を超える場合は、第１レンズＬ１の焦点距離が短くなり過ぎ、球面収差やコマ収差の補正が困難になる。逆に上限を超える場合は、光学長が長くなり過ぎて撮像レンズの薄型化が困難となるとともに、条件式（４）の下限を超える場合は、第２レンズＬ２のパワーが不足することになり、色収差の補正が不十分になり、逆に上限を超える場合は、第２レンズＬ２の焦点距離が短くなり過ぎ、球面収差やコマ収差の補正が困難になり、製作時の誤差感度も厳しくなるが、条件式（３），（４）を満たすことによって、球面収差やコマ収差の補正も良好となり、また、第２レンズＬ２のパワーも充分であり、色収差の補正が良好となるとともに、球面収差やコマ収差の補正も良好となる。
【手続補正６】
【補正対象書類名】特許請求の範囲
【補正対象項目名】全文
【補正方法】変更
【補正の内容】
【特許請求の範囲】
【請求項１】
固体撮像素子用撮影レンズであって、物体側から順に、
光軸上で物体側に凸面を向けた正の屈折力を有する第１レンズと、
光軸上で像側に凹面を向けた負の屈折力を有する第２レンズと、
光軸上で物体側に凸面を向けたメニスカス形状の第３レンズと、
光軸上で像側に凸面を向けた正の屈折率を有するメニスカス形状の第４レンズと、
光軸上で像側に凹面を向けた負の屈折率を有するメニスカス形状の第５レンズとを備えたことを特徴とする固体撮像素子用撮像レンズ。
【請求項２】
前記第１レンズ、及び前記第２レンズに使用する材料のアッベ数に関して、下記条件式（１）及び（２）を満足することを特徴とする請求項１記載の固体撮像素子用撮像レンズ。
４５＜ν１＜９０                    （１）
２２＜ν２＜３５                    （２）
ただし、
ν１：第１レンズのｄ線におけるアッベ数
ν２：第２レンズのｄ線におけるアッベ数
【請求項３】
前記第２レンズ，前記第３レンズ、前記第４レンズ及び前記第５レンズは、少なくとも一面が非球面形状を採り、樹脂材料により製作される、所謂プラスチックレンズであることを特徴とする請求項１又は請求項２記載の固体撮像素子用撮像レンズ。
【請求項４】
開口絞りは、第１レンズの物体側に配置されることを特徴とする請求項１乃至請求項３の何れか一項に記載の固体撮像素子用撮像レンズ。
【請求項５】
前記第５レンズの物体側面と像側面は、レンズ中心部から周辺部に行くに従って少なくとも一つの変曲点を有する非球面形状であることを特徴とする請求項１乃至請求項４の何れか一項に記載の固体撮像素子用撮像レンズ。
【請求項６】
前記第１レンズ及び前記第２レンズは、下記条件式（３），（４）を満足することを特徴とする請求項１乃至請求項５の何れか一項に記載の固体撮像素子用撮像レンズ。
０．５＜ｆ１／ｆ＜１．００                  （３）
−１．５０＜ｆ２／ｆ＜−０．６５            （４）
ただし、
ｆ：撮像レンズ全系の合成焦点距離
ｆ１：第１レンズの焦点距離
ｆ２：第２レンズの焦点距離
【請求項７】
前記第４レンズ及び前記第５レンズは、下記条件式（５），（６）を満足することを特徴とする請求項１乃至請求項６の何れか一項に記載の固体撮像素子用撮像レンズ。
０．９＜ｆ４／ｆ＜１．５０                  （５）
−１．７０＜ｆ５／ｆ＜−０．８５            （６）
ただし、
ｆ：撮像レンズ全系の合成焦点距離
ｆ４：第４レンズの焦点距離
ｆ５：第５レンズの焦点距離
【請求項８】
前記第１レンズと前記第３レンズは、下記条件式（７）を満足することを特徴とする請求項１乃至請求項７の何れか一項に記載の固体撮像素子用撮像レンズ。
−０．１５＜ｆ１／ｆ３＜０．３７            （７）
ただし、
ｆ１：第１レンズの焦点距離
ｆ３：第３レンズの焦点距離
【請求項９】
前記第２レンズ、前記第３レンズ及び前記第４レンズは、下記条件式（８）を満足することを特徴とする請求項１乃至請求項８の何れか一項に記載の固体撮像素子用撮像レンズ。
０．０＜ｆ２・３・４                        （８）
ただし、
ｆ２・３・４：第２レンズ、第３レンズ、第４レンズの合成焦点距離
【請求項１０】
前記第１レンズ、前記第２レンズ、前記第３レンズ、前記第４レンズ及び前記第５レンズは、下記条件式（９），（１０），（１１）を満足することを特徴とする請求項１乃至請求項９の何れか一項に記載の固体撮像素子用撮像レンズ。
ｆ１＜｜ｆ２｜＜｜ｆ３｜                    （９）
ｆ１＜ｆ４＜｜ｆ３｜                        （１０）
ｆ１＜｜ｆ５｜＜｜ｆ３｜                    （１１）
ただし、
ｆ１：第１レンズの焦点距離
ｆ２：第２レンズの焦点距離
ｆ３：第３レンズの焦点距離
ｆ４：第４レンズの焦点距離
ｆ５：第５レンズの焦点距離
【請求項１１】
前記第１レンズの曲率半径に関して、下記条件式（１２）を満足することを特徴とする請求項１乃至請求項１０の何れか一項に記載の固体撮像素子用撮像レンズ。
−０．４０＜ｒ１／ｒ２＜０．１０            （１２）
ただし、
ｒ１：第１レンズ物体側面の曲率半径
ｒ２：第１レンズ像側面の曲率半径
【請求項１２】
前記第４レンズの曲率半径に関して、下記条件式（１３）を満足することを特徴とする請求項１乃至請求項１１の何れか一項に記載の固体撮像素子用撮像レンズ。
１．４＜ｒ７／ｒ８＜３．０                （１３）
ただし、
ｒ７：第４レンズ物体側面の曲率半径
ｒ８：第４レンズ像側面の曲率半径
【請求項１３】
前記撮像光学系の光学長と焦点距離に関して、下記条件式（１４）を満足することを特徴とする請求項１乃至請求項１２の何れか一項に記載の撮像レンズ。
１．０５＜Ｌ／ｆ＜１．３０                （１４）
ただし、
Ｌ：第１レンズ前面より像面までの距離
ｆ：撮像レンズ全系の合成焦点距離
【請求項１４】
前記第１レンズの有効径に関して、下記条件式（１５）を満足することを特徴とする請求項１乃至請求項１３の何れか一項に記載の固体撮像素子用撮像レンズ。
０．３０＜ＣＡ１／ｆ＜０．５０            （１５）
ただし、
ＣＡ１：開口絞りの直径
ｆ：撮像レンズ全系の合成焦点距離